(57)【特許請求の範囲】
【請求項１】
取り付け金具を用いて建物躯体に窯業系の外装化粧材を固定する固定構造であって、
前記外装化粧材は、
前記取り付け金具と係合する凹部を備え、
前記取り付け金具は、
前記外装化粧材の内周側の側面を前記建物躯体の外側方向に押圧しつつ前記外装化粧材の凹部と係合する弾性係合部を備え、
前記弾性係合部は複数の分岐部に分割され、少なくとも一つの第１分岐部は所定の基準値の長さで形成され、少なくとも一つの第２分岐部は所定の基準値の長さよりも短く形成される
ことを特徴とする外装化粧材の固定構造。
【請求項２】
取り付け金具を用いて建物躯体に窯業系の外装化粧材を固定する固定構造であって、
前記外装化粧材は、
前記取り付け金具と係合する凸部を備え、
前記取り付け金具は、
前記外装化粧材の内周側の側面を前記建物躯体の外側方向に押圧しつつ前記外装化粧材の凸部と係合する弾性係合部を備え、
前記弾性係合部は複数の分岐部に分割され、少なくとも一つの第１分岐部は所定の基準値の長さで形成され、少なくとも一つの第２分岐部は所定の基準値の長さよりも短く形成される
ことを特徴とする外装化粧材の固定構造。
【請求項３】
前記弾性係合部はスリットにより分割されて前記第１分岐部及び前記第２分岐部を構成し、前記スリットは、外装化粧材の凹部又は凸部に対して各分岐部が個別に弾性による動作ができる長さ以上の寸法で形成される
ことを特徴とする請求項１又は２に記載の外装化粧材の固定構造。
【請求項４】
前記分岐部は、三以上の分岐に分割され、複数の前記第２分岐部の長さ寸法が、所定の基準値の長さよりも短く、且つ、各々異なる長さとなるように形成される
ことを特徴とする請求項１乃至３の何れか１項に記載の外装化粧材の固定構造。
【請求項５】
前記外装化粧材は、縦方向に２分割された化粧柱であり、前記建物躯体は、構造柱である
ことを特徴とする請求項１乃至４の何れか１項に記載の外装化粧材の固定構造。
【発明の詳細な説明】
【技術分野】
【０００１】
本発明は、建物躯体に用いられる外装化粧材の固定構造に関し、特に、構造柱の周囲に固定される２分割化粧柱やベランダ等の上部に固定される笠木等を取り付け金具を用いて固定する構造に関する。
【背景技術】
【０００２】
従来から外装化粧材を構造物に固定するために、取り付け金具を用いる様々な方法が提案されている。そのような取り付け金具は、その金具自体を構造物に固定する対構造物固定手段と、外装化粧材をその金具に固定する対化粧材固定手段という２種類の固定手段を有する。一般的に、対化粧材固定手段は、一方の凹部又は凸部に、他方の凸部又は凹部が係合するという鉤状の係合手段が用いられる（例えば、特許文献1参照）。
【先行技術文献】
【特許文献】
【０００３】
【特許文献１】実開平６−２５４４５号公報
【発明の概要】
【発明が解決しようとする課題】
【０００４】
しかしながら、特許文献１の方法を含む従来の方法では、鉤状の係合手段は係合部一箇所に付き一組のみ設けられていた。また、例え一箇所の係合部に二つの係合手段を有していても、その寸法は同一であった。
【０００５】
一方、外装化粧材には、樹脂、天然木材セメント、人工木質材、塗装された鉄板、セメントや陶磁器等の窯業系等がある。窯業系の外装化粧材は、一般的に厚み寸法があるため質量が重く、完成品の寸法誤差が他の構造物と比較すると大きい。そのため、窯業系の外装化粧材は、特許文献１のような鉤状の係合手段に係合していなくても自重と係合手段との摩擦力により仮固定された状態と、正しく係合されて恒久的に固定された状態が施工後に確認することが難しかった。
【０００６】
また、係合手段の弾性片が外装化粧材を取付時の押された状態から係合して戻る時に発する音で判断できる場合も有るが、作業時に常時、明確に音が発生するとは限らず、また、作業者の方でもその音が聴力の個人差で聞こえ辛い場合、周囲の雑音が大きく聞こえない場合等があるため確認できない場合もある。
【０００７】
そのような窯業系の外装化粧材は、施工時に固定されたと考えられていたものが、実際には仮固定状体である場合があり、仮固定状態の窯業系の外装化粧材は、地震によるずれや係合手段の経年変化等により外れる可能性がある。
【０００８】
そこで本発明は、上記の課題を解決するために、完成品の寸法誤差が比較的大きい窯業系の外装化粧材を、建物躯体に取り付け金具を用いて確実に固定する外装化粧材の固定構造を提供することを目的とする。
【課題を解決するための手段】
【０００９】
（１）上記課題を解決するために、本発明の一実施態様に係る外装化粧材の固定構造は、取り付け金具を用いて建物躯体に窯業系の外装化粧材を固定する固定構造であって、外装化粧材は、取り付け金具と係合する凹部を備え、取り付け金具は、外装化粧材の内周側の側面を建物躯体の外側方向に押圧しつつ外装化粧材の凹部と係合する弾性係合部を備え、弾性係合部は複数の分岐部に分割され、少なくとも一つの第１分岐部は所定の基準値の長さで形成され、少なくとも一つの第２分岐部は所定の基準値の長さよりも短く形成されることを特徴とする。
【００１０】
（２）上記課題を解決するために、本発明の一実施態様に係る外装化粧材の固定構造は、取り付け金具を用いて建物躯体に窯業系の外装化粧材を固定する固定構造であって、外装化粧材は、取り付け金具と係合する凸部を備え、取り付け金具は、外装化粧材の内周側の側面を建物躯体の外側方向に押圧しつつ外装化粧材の凸部と係合する弾性係合部を備え、弾性係合部は複数の分岐部に分割され、少なくとも一つの第１分岐部は所定の基準値の長さで形成され、少なくとも一つの第２分岐部は所定の基準値の長さよりも短く形成されることを特徴とする。
【００１１】
上記した本発明の各実施態様によれば、弾性係合部を、所定の基準値の長さで形成された第１分岐部と、少なくとも一つの所定の基準値の長さよりも短く形成された第２分岐部に分割し、外装化粧材の凸部に確実に係合するようにした。これにより、完成品の寸法誤差が大きい窯業系の外装化粧材であっても、本発明の各実施態様の取り付け金具を用いることで建物躯体に確実に固定することができ、地震や係合手段の経年変化等により外れる可能性を減少させることができる。
【００１２】
（３）好ましくは、本発明の一実施態様に係る外装化粧材の固定構造のように、弾性係合部はスリットにより分割されて第１分岐部及び第２分岐部を構成し、スリットは、外装化粧材の凹部又は凸部に対して各分岐部が個別に弾性による動作ができる長さ以上の寸法で形成されるようにしてもよい。
本実施態様では、第１分岐部と第２分岐部との間のスリットを、外装化粧材の凹部又は凸部に対して各分岐部が、個別に弾性による動作ができる長さ以上の寸法で形成することで、第１分岐部が外装化粧材の凹部又は凸部に係合できない場合でも、第２分岐部が外装化粧材の凹部又は凸部に係合できる。
【００１３】
（４）好ましくは、本発明の一実施態様に係る外装化粧材の固定構造のように、外装化粧材の凹部又は凸部は、複数箇所であって、弾性係合部は、外装化粧材の少なくとも２箇所の各凹部又は凸部と係合でき、且つ、係合する方向が逆方向となるように形成されるようにしてもよい。
本実施態様では、外装化粧材の凹部又は凸部を複数箇所とし、２箇所の凹部又は凸部における弾性係合部の係合方向を逆方向にすることで外装化粧材を建物躯体に確実に固定することができる。
【００１４】
（５）好ましくは、本発明の一実施態様に係る外装化粧材の固定構造のように、分岐部は、三以上の分岐に分割され、複数の第２分岐部の長さ寸法が、所定の基準値の長さよりも短く、且つ、各々異なる長さとなるように形成されるようにしてもよい。
本実施態様では、第２分岐部の長さ寸法の設定を２段階以上の多段階にできるので、外装化粧材の完成品の寸法誤差がばらつく場合でも適切な長さの第２分岐部が、ガタツキ無く固定することができる。また、外装化粧材の完成品の寸法誤差が非常に大きい場合でも、第２分岐部の長さ寸法を調節することで、固定後のガタツキを少なくしつつ対応することができる。
【００１５】
（６）好ましくは、本発明の一実施態様に係る外装化粧材の固定構造のように、外装化粧材は、縦方向に２分割された化粧柱であり、建物躯体は、構造柱であるようにしてもよい。
本実施態様では、寸法誤差が大きい窯業系の２分割化粧柱であっても、本発明の各実施態様の取り付け金具を用いることで、建造物の構造柱に確実に固定することができ、地震や係合手段の経年変化等により外れる可能性を減少させることができる。
【図面の簡単な説明】
【００１６】
【図１】（ａ）は本発明の外装化粧材の第１実施形態として家屋の玄関ポーチ柱に化粧柱を設けた場合を示す斜視図であり、（ｂ）は本発明の第１実施形態の化粧柱の縦断面図と横断面図であり、図１（ａ）のＡ−Ａ線の横断面図が示され、逆に図１（ｂ）の横断面図のＢ−Ｂ断面が図１（ａ）の図となる。
【図２】図１（ｂ）の化粧柱及び取り付け金具の横断面図の拡大図と、取り付け金具の正面図及び側面図である。
【図３】（ａ）〜（ｃ）は図２の取り付け金具の横断面図をさらに拡大し、複数の固定状態を示した断面図である。
【図４】（ａ）、（ｂ）は図１〜３の本発明の第１実施形態の変形例として、化粧柱の凹部が凸部に変更した場合を示した図である。
【図５】（ａ）、（ｂ）は図１〜３の本発明の第１実施形態の変形例として、取り付け金具の複数の分岐部が３分割された場合（ａ）と４分割された場合（ｂ）を示した図である。
【図６】本発明の外装化粧材の第２実施形態としてベランダの壁面部の上部に取り付け金具笠木を固定する場合を示す断面図及び取り付け金具の上面図である。
【図７】（ａ）は本発明の外装化粧材の第３実施形態として、建造物の外壁面に胴差し又はコーナー部材が取り付けられた状態を示し、（ｂ）は取り付け金具の正面図及び側面図であり、（ｃ）は建造物の外壁面に胴差し又はコーナー部材が取り付けられた状態の断面図である。
【発明を実施するための形態】
【００１７】
以下、本発明の外装化粧材の固定構造の実施の形態について、以下に図面を用いながら詳細に説明する。
【００１８】
＜第１実施形態＞
本発明の外装化粧材の第１実施形態である家屋の玄関ポーチ柱に化粧柱を設ける場合、より詳しくは、取り付け金具３１を用いて構造柱９１上に２分割柱体１１を固定する場合の固定構造と方法について図１（ａ）、（ｂ）、図２、図３（ａ）〜（ｃ）を用いて説明する。
【００１９】
化粧柱１は、建造物に用いられ、例えば、見た目の安定感を高め、又は、柱の見栄えを良くする等の理由から、実際に構造体の加重を支持する構造柱９１（建物躯体）より大きい断面で内部に空洞部９５を有してその周囲に追加され、その外周面に装飾用の塗装等の化粧仕上げが施された柱である。尚、玄関ポーチとは、一般的に玄関扉前の庇（ひさし）の下で、アプローチ部分から数段程度の段差で高くなったスペースのことである。化粧柱１は、玄関ポーチの基礎部分の上部と、庇の下部部分を垂直に結んで設けられる。又、化粧柱１は、その他にベランダ等にも使用される場合がある。
【００２０】
２分割柱体１１は、上記したような住宅等の建造物に用いられる化粧柱１が縦に２等分割されたものであり、比重が０．７〜１．５程度のセメント系押出成形体からなる。２分割柱体１１の内部は建造物の構造柱９１を包含できるように空洞（空洞部９５）が形成されている。構造柱９１を挟んで対向して取り付けられる２分割柱体１１は、空洞部９５を挟んだ両側部１４、１５に取り付け金具３１と係合する凹部９７を各々備えるように形成される。
【００２１】
また、２分割柱体１１の内周面の第一側部１４と第二側部１５は、各々空洞部９５を挟んで各々対向する側部であり、この側部１４、１５の各々に凹部９７が形成される。凹部９７の形状は、後述する弾性係合部３２に係合させることで２分割柱体１１を固定できるように、弾性係合部３２と係合でき、且つ、係合する方向が逆方向となるような形状に形成される。このように２分割柱体１１の凹部９７を複数箇所とし、２箇所の凹部９７における弾性係合部３２の係合方向を逆方向にすることで２分割柱体１１を構造柱９１（建物躯体）に確実に固定することができる。
【００２２】
１本の構造柱９１の周囲に配置される２個の２分割柱体１１は、各々が構造柱９１を挟んで対向するように配置される。２個の２分割柱体１１の隙間は、通常、コーキング剤等が穴埋め用に充填されるか、乾式目地材で隠される。コーキング剤等は凝固する際に被接着面の接着作用を有し、一種の接着剤となる。
【００２３】
取り付け金具３１は、建造物の構造柱９１を挟んで一カ所につき２個用いて、２分割柱体１１を構造柱９１に固定可能であるように形成されている。２個の取り付け金具３１は、建造物の構造柱９１を挟んで、固定用ネジ１００を固定用ネジ穴８１にねじ込むことで固定可能であるように同形状に形成され、構造柱９１の上下２カ所を含む複数箇所に固定用ネジ１００により取り付けられる。取り付け金具３１を設置する間隔は、構造柱９１の上下方向に、例えば、７００ｍｍ間隔程度で設けられる。
【００２４】
取り付け金具３１は、ステンレス鋼板（例えばＳＵＳ４３０）に対して型を用いてプレス成形と折り曲げ成形等を実施することにより形成される。取り付け金具３１は、２分割柱体１１の内周側の側面１４、１５を２分割柱体１１の外側方向に押圧しつつ２分割柱体１１の少なくとも２箇所の凹部９７と係合でき、且つ、各々の係合する方向が逆方向となるように形成されて、２分割柱体１１を位置決め固定する弾性係合部３２を有する。
【００２５】
弾性係合部３２は、２分割柱体１１に対向する端部側が解放端で、直線的に形成されており、ステンレス鋼板から成形されるため、板ばね的に平面に垂直方向に弾性力を有している。また、弾性係合部３２の開放端側は、スリット７１により複数の分岐部に分割されており、本実施形態では第１分岐部４１及び第２分岐部５１に分かれている。
【００２６】
スリット７１は、第１分岐部４１と第２分岐部５１との間に設けられ、２分割柱体１１の凹部９７に対して各分岐部４１、５１が個別に弾性による動作ができる長さ以上の寸法で形成される。各分岐部４１、５１が個別に弾性による動作ができる長さとは、例えば、各分岐部の一方が２分割柱体１１の凹部９７に係合できない場合であっても、他方の分岐部は、それに影響されることなく弾性により２分割柱体１１の凹部９７に係合できる長さであることを意味する。より具体的には、例えば、分岐部４１が弾性圧縮されて構造柱９１側に近づいている場合でも、分岐部５１は、何も連動する圧縮力を受けないで構造柱９１側に近づかないように充分に各分岐部４１、５１が分離された長さである。
【００２７】
また、第１分岐部４１は所定の基準値の長さで形成され、第２分岐部５１は所定の基準値の長さよりも短く形成される。これにより第１分岐部４１が２分割柱体１１の凹部９７に係合できない場合でも、第２分岐部５１を２分割柱体１１の凹部９７に係合させることができる。
【００２８】
第２分岐部５１を第１分岐部４１よりも短くする長さは、例えば、２ｍｍ程度が好ましい。この長さについては、例えば、第２分岐部５１を所定の基準値の長さよりも極端に短くすると固定はできるものの、固定後に可動域ができてしまい、結果的にがたついてしまう。逆に、第２分岐部５１を所定の基準値の長さに近づけすぎると、第１分岐部４１との差がないことから同様に固定できない場合があり、第２分岐部５１を設ける意味が無くなってしまう。このように、第２分岐部５１の長さ寸法の設定は短すぎても所定の基準値に近づけすぎても問題が発生するので、第１分岐部４１と第２分岐部５１との長さの差Ｌ１＝２ｍｍ前後等の適切な範囲で設定する必要がある。
【００２９】
また、所定の基準値の長さとは、例えば、仕様に規定された値又は設計値であり、セメント系押出成形体で形成された２分割柱体１１の乾燥後の凹部９７と係合できるように設定された寸法である。さらに、第１分岐部４１の先端部には、凹部９７と係合する第１係合端部４２が一体に形成され、第２分岐部５１の先端部には、凹部９７と係合する第２係合端部５２が一体に形成される。
【００３０】
第１分岐部４１と第１係合端部４２は、例えば２分割柱体１１の凹部９７に係合できるように鉤型に形成される。同様に第２分岐部５１と第２係合端部５２も、２分割柱体１１の凹部９７に係合できるように鉤型に形成される。鉤型というのは、第１係合端部４２又は第２係合端部５２を単独で鉤型にすることも含むが、本実施形態では、取り付け金具３１における第１分岐部４１と第１係合端部４２の全体、又は第２分岐部５１と第２係合端部５２の全体で鉤型を構成している。この鉤型が凹部９７に係合して２分割柱体１１が構造柱９１に固定される。
【００３１】
突起６２は、１個の取り付け金具３１について２個が形成され、２個の突起６２は、構造柱９１の断面正方形の一辺を挟み込んで保持できる寸法だけ離して形成される。開口部６１は、突起６２が型抜きされたために形成された開口部である。
【００３２】
取り付け金具３１は、上記のようにプレス成形と折り曲げ成形等により形成することで、製造を容易にして製造コストを低減させることができ、２個の取り付け金具３１が同形状であるので、製造コストおよび部品点数を減少させることができる。
【００３３】
固定用ネジ穴８１は、構造柱９１を挟んで対向して取り付けられる２個の取り付け金具３１を、固定具、例えば固定用ネジ１００で取り付けるための穴である。尚、固定用ネジ１００がドリルネジ又はタッピングネジ等のようにネジ穴を開けて溝を切りながら締め付けするタイプの場合は、予め固定用ネジ穴８１を設ける必要はなく、取り付け金具３１をネジ止めする時に形成される。又、固定用ネジ１００がネジ溝を切りながら締め付けするタイプでない場合には、予め固定用ネジ穴８１の内側にネジ溝を形成しておく。又、固定用ネジ１００としてボルトをナットと共に使用する場合には、予め固定用ネジ穴８１の内側にネジ溝を形成しておく必要はなはなく単なる円形の開口でよい。
【００３４】
本実施形態の２個の取り付け金具３１を構造柱９１の断面正方形の対向する２辺に各々挿入し、固定用ネジ１００を固定用ネジ穴８１に入れて締めることで各取り付け金具３１は構造柱９１に固定される。次に、図２の構造柱９１の断面正方形の右側の２分割柱体１１を構造柱９１の右側に被せるように押し込む。これにより、図２の構造柱９１の右側の２分割柱体１１の凹部９７は第１分岐部４１の第１係合端部４２と係合して、２分割柱体１１が構造柱９１に固定される。その次に図２の構造柱９１の断面正方形の左側の２分割柱体１１を構造柱９１の左側に被せるように押し込む。これにより、図２の構造柱９１の左側の２分割柱体１１の凹部９７は第１分岐部４１の第１係合端部４２と係合しようとするが、第１分岐部４１と第１係合端部４２の寸法が長すぎて係合できない。しかし、本実施形態では第２分岐部５１と第２係合端部５２が第１分岐部４１と第１係合端部４２の寸法よりも短く形成されるため、第２分岐部５１と第２係合端部５２が凹部９７と係合する。これにより左側の２分割柱体１１も構造柱９１に固定される。この状態を示すのが図３（ａ）である。
【００３５】
また、図３（ｂ）に示すように、図２の構造柱９１の左側の２分割柱体１１を先に構造柱９１の左側に被せるように押し込んで固定してから、図２の構造柱９１の右側の２分割柱体１１を押し込む場合、左右が逆になる。即ち、図２の構造柱９１の右側の２分割柱体１１の凹部９７は第１分岐部４１の第１係合端部４２と係合しようとするが、第１分岐部４１と第１係合端部４２の寸法が長すぎて係合できない。しかし、本実施形態では第２分岐部５１と第２係合端部５２が第１分岐部４１と第１係合端部４２の寸法よりも短く形成されるため、第２分岐部５１と第２係合端部５２が凹部９７と係合する。これにより右側の２分割柱体１１も構造柱９１に固定される。
【００３６】
また、図３（ｃ）に示すように、図２の構造柱９１の左右両側の２分割柱体１１を、複数人員によりほぼ同時に構造柱９１の左右側に被せるように押し込んで固定する場合が考えられる。この場合、図２に示したように図２の構造柱９１の左右両側の２分割柱体１１の凹部９７が第１分岐部４１の第１係合端部４２と係合する場合や、図３（ａ）のように、左側の２分割柱体１１の凹部９７と第２係合端部５２とが係合する場合、図３（ｂ）のように、右側の２分割柱体１１の凹部９７と第２係合端部５２とが係合する場合もあるが、図３（ｃ）に示したように、左右両側の２分割柱体１１の凹部９７と第２係合端部５２とが係合する場合も考えられる。上記した何れの場合も、本実施形態の取り付け金具３１を用いることで構造柱９１に２分割柱体１１を確実に固定することができる。
【００３７】
このように本実施形態の外装化粧材の固定構造によれば、完成品の寸法誤差が大きい窯業系の２分割柱体１１であっても、本実施態様の取り付け金具３１を用いることで構造柱９１に確実に固定することができ、地震や係合手段の経年変化等により外れる可能性を減少させることができる。
【００３８】
＜変形例１：第１実施形態＞
上記の第１実施形態では、２分割柱体１１の内周面の第一側部１４と第二側部１５の各々に凹部９７が形成され、そこに係合する取り付け金具３１により構造柱９１に固定できることを示した。しかし、本実施形態はこれに限らず、内周面の第一側部１４と第二側部１５には凸部を設けた場合でも、取り付け金具３１により構造柱９１に固定することができる。
【００３９】
以下に、図４を用いて第１実施形態の変形例１を説明する。本実施形態では、２分割柱体１１には、取り付け金具３１と係合する凸部９８（図４（ａ））又は凸部９９（図４（ｂ）が備えられる。取り付け金具３１の弾性係合部３２は、２分割柱体１１の内周側の側面１４、１５を構造柱９１の外側方向に押圧しつつ２分割柱体１１の凸部９８又は９９と係合する。その他の構成は第１実施形態と同様である。
【００４０】
このように本変形例の２分割柱体１１に取り付け金具３１と係合する凸部を設けた場合でも、本実施態様の取り付け金具３１を用いることで構造柱９１に確実に固定することができ、地震や係合手段の経年変化等により外れる可能性を減少させることができる。
【００４１】
＜変形例２：第１実施形態＞
上記の第１実施形態では、弾性係合部３２の開放端側は、スリット７１により第１分岐部４１及び第２分岐部５１に２分割され、それにより、完成品の寸法誤差が大きい窯業系の２分割柱体１１であっても、取り付け金具３１により構造柱９１に確実に固定できることを示した。しかし、第１実施形態では、凹部９７は第１係合端部４２に係合されるか、第２係合端部５２に係合されるかの二者択一であった。その場合、上記したように、第２分岐部５１の長さ寸法の設定は短すぎても所定の基準値に近づけすぎても問題が発生するので、ガタツキ無く、完成品の寸法誤差を吸収できる長さ設定が難しくなる。本変形例２では、第２分岐部５１の長さ寸法の設定を容易にするために、弾性係合部３２の開放端側を３分割又は４分割して、構造柱９１に固定する場合について説明する。
【００４２】
図５（ａ）は、弾性係合部１３２の開放端側を３分割にした場合を示し、図５（ｂ）は、弾性係合部２３２の開放端側を４分割にした場合を示す。図５（ａ）の３分割にした場合、弾性係合部１３２の開放端側は、スリット１７１と１７２により３個の第１分岐部１４１、第２分岐部１５１及び第３分岐部１６１に分割されている。第１分岐部１４１と第２分岐部１５１との長さの差がＬ１であり、第２分岐部１５１と第３分岐部１６１との長さの差がＬ２であるので、第１実施形態と比較して２倍の完成品の寸法誤差に対応することができる。あるいは、Ｌ１とＬ２の各差の範囲を狭くすることで、よりガタツキ無く完成品の寸法誤差を吸収することができる。ただし、各分岐部と凹部との接触領域は減少するので、各分岐部が充分な強度を有している範囲で弾性係合部１３２の分割を実施する必要がある。
【００４３】
一方、図５（ｂ）の４分割にした場合、弾性係合部２３２の開放端側は、スリット２８１と２８２と２８３により４個の第１分岐部２４１、第２分岐部２５１、第３分岐部２６１及び第４分岐部２７１に分割されている。第１分岐部２４１と第２分岐部２５１との長さの差がＬ１であり、第２分岐部２５１と第３分岐部２６１との長さの差がＬ２であり、第３分岐部２６１と第４分岐部２７１との長さの差がＬ３であるので、第１実施形態と比較して３倍の完成品の寸法誤差に対応することができる。あるいは、Ｌ１〜Ｌ３の各差の範囲を狭くすることで、さらにガタツキ無く完成品の寸法誤差を吸収することができる。但しこの場合も、各分岐部と凹部との接触領域は減少するので、各分岐部が充分な強度を有している範囲で弾性係合部２３２の分割を実施する必要がある。
【００４４】
このように本変形例で弾性係合部の開放端側を３分割以上に分割し、複数の第２分岐部の各長さ寸法が、所定の基準値の長さよりも短く、且つ、各々異なる長さとなるように形成した場合には、本実施態様の取り付け金具３１を用いることで、第２分岐部の各長さ寸法の設定を２段階以上の多段階にできるので、２分割柱体１１の完成品の寸法誤差がばらつく場合でも適切な長さの第２分岐部５１を、ガタツキ無く固定することができる。さらに、２分割柱体１１の完成品の寸法誤差が非常に大きい場合でも、第２分岐部の各長さ寸法を調節することで、固定後のガタツキを少なくしつつ対応することができる。すなわち、より広い完成品の寸法誤差に対応することができ、よりガタツキ無く完成品の寸法誤差を吸収することができる。
【００４５】
＜第２実施形態＞
上記の第１実施形態では、取り付け金具３１を用いて建物躯体として構造柱９１上に窯業系の外装化粧材である化粧柱１（２分割柱体１１）を固定する固定構造について説明した。しかし、本発明の固定構造は、化粧柱１に限らず、例えば、建物躯体としてベランダの壁面上に窯業系の外装化粧材である笠木を固定する固定構造についても適用することができる。以下、図６を参照してベランダの壁面上に取り付け金具を用いて笠木を固定する場合の第２実施形態について説明する。
【００４６】
本実施形態の取り付け金具３３１は、ベランダの壁面３９１の上面３９２上に設置され、固定用ネジ穴８１を介して固定用ネジ１００により固定される。さらに取り付け金具３３１上に笠木３１１がベランダの壁面３９１を跨ぐように挟んで取り付けられる。笠木３１１は、内周の再奥面に取り付け金具３３１と係合する凹部３９７を備えるように形成される。
【００４７】
取り付け金具３３１は、建造物のベランダの壁面３９１の上面３９２上に一カ所につき１個用いて、笠木３１１を壁面３９１の上面３９２上に固定可能であるように形成されている。取り付け金具３３１は、壁面３９１の上面３９２上に、固定用ネジ１００を固定用ネジ穴８１にねじ込むことで固定可能であるように形成され、壁面３９１の上面３９２上の複数箇所に固定用ネジ１００により取り付けられる。取り付け金具３３１を設置する間隔は、壁面３９１の上面３９２上でベランダの壁面３９１が延伸される水平方向に、例えば、７００ｍｍ間隔程度で設けられる。
【００４８】
取り付け金具３３１も、第１実施形態と同様にステンレス鋼板（例えばＳＵＳ４３０）に対して型を用いてプレス成形と折り曲げ成形等を実施することにより形成される。取り付け金具３３１は、笠木３１１の内周側の上面を笠木３１１の上側方向に押圧しつつ笠木３１１の内周側の上面に設けられた少なくとも２箇所の凹部３９７と係合でき、且つ、各々の係合する方向が逆方向となるように形成されて、笠木３１１を位置決め固定する弾性係合部３３２を有する。
【００４９】
弾性係合部３３２は、笠木３１１に対向する一部にスリット３７１及び３７２により複数の解放端を有する分岐部に分割され、直線的に形成されており、ステンレス鋼板から成形されるため、板ばね的に平面に垂直方向に弾性力を有している。また、弾性係合部３３２の分岐部は、複数の分岐部に分割されており、本実施形態では第１分岐部３４１及び第２分岐部３５１に分かれている。
【００５０】
スリット３７１は、取り付け金具３３１の本体部と第１分岐部３４１との間に設けられ、スリット３７２は、取り付け金具３３１の本体部と第２分岐部３５１との間に設けられる。スリット３７１、スリット３７２は、笠木３１１の凹部３９７に対して各分岐部３４１／３５１が弾性による動作ができる長さ以上の寸法で形成される。
【００５１】
また、第１分岐部３４１は所定の基準値の長さで形成され、第２分岐部３５１は所定の基準値の長さよりも短く形成される。これにより第１分岐部３４１が笠木３１１の凹部３９７に係合できない場合でも、第２分岐部３５１を笠木３１１の凹部３９７に係合させることができる。第２分岐部３５１を第１分岐部３４１よりも短くする長さは、第１実施形態と同様にそれらの差Ｌ４＝２ｍｍ前後等の適切な範囲で設定する。
【００５２】
また、所定の基準値の長さも第１実施形態と同様に、例えば、仕様に規定された値又は設計値であり、セメント系押出成形体で形成された笠木３１１の乾燥後の凹部３９７と係合できるように設定された寸法である。さらに、第１分岐部３４１の先端部には、凹部３９７と係合する第１係合端部３４２が一体に形成され、第２分岐部３５１の先端部には、凹部３９７と係合する第２係合端部３５２が一体に形成される。
【００５３】
第１分岐部３４１と第１係合端部３４２は、例えば笠木３１１の凹部３９７に係合できるように鉤型に形成される。同様に第２分岐部３５１と第２係合端部３５２も、笠木３１１の凹部３９７に係合できるように鉤型に形成される。鉤型というのは、第１係合端部３４２又は第２係合端部３５２を単独で鉤型にすることも含むが、本実施形態では、取り付け金具３３１における第１分岐部３４１と第１係合端部３４２の全体、又は第２分岐部３５１と第２係合端部３５２の全体で鉤型を構成している。この鉤型が凹部３９７に係合して笠木３１１がベランダの壁面３９１の上面３９２上に固定される。
【００５４】
このように本実施形態の外装化粧材の固定構造によれば、完成品の寸法誤差が大きい窯業系の笠木３１１であっても、本実施態様の取り付け金具３３１を用いることでベランダの壁面３９１の上面３９２上に確実に固定することができ、地震や係合手段の経年変化等により外れる可能性を減少させることができる。また、第１実施形態の変形例１、変形例２についても、本実施形態に同様に適用することができる。
【００５５】
＜第３実施形態＞
上記の第１実施形態では、窯業系の外装化粧材である化粧柱の場合について説明し、第２実施形態では、窯業系の外装化粧材である笠木の場合について説明した。しかし、本発明の固定構造は、化粧柱や笠木に限らず、例えば、建造物の外壁面上に窯業系の外装化粧材である胴差し（幕板）、見切り材、又はコーナー部材を固定する固定構造についても適用することができる。以下、図７（ａ）、（ｂ）、（ｃ）を参照して建造物の外壁面上に取り付け金具を用いて胴差し又はコーナー部材を固定する場合の第３実施形態について説明する。
【００５６】
本実施形態の取り付け金具４３１は、建造物の外壁面５上に設置され、固定用ネジ穴８１を介して固定用ネジ１００により固定される。さらに取り付け金具４３１上に胴差し２又はコーナー部材３が取り付けられる。胴差し２又はコーナー部材３は、内側になる面に取り付け金具４３１と係合する凹部４９７、４９８、及びネジ固定用凹部４９９を備えるように形成される。
【００５７】
取り付け金具４３１は、建造物の外壁面５上に一カ所につき１個用いて、胴差し２又はコーナー部材３を外壁面５上に固定可能であるように形成されている。取り付け金具４３１は、外壁面５上に、固定用ネジ１００を固定用ネジ穴８１にねじ込むことで固定可能であるように形成され、外壁面５上の複数箇所に固定用ネジ１００により取り付けられる。取り付け金具４３１を設置する間隔は、外壁面５上で胴差し２又はコーナー部材３が延伸される水平又は垂直方向に、胴差し２又はコーナー部材３の長辺寸法の間隔程度で設けられる。
【００５８】
取り付け金具４３１も、第１実施形態又は第２実施形態と同様にステンレス鋼板（例えばＳＵＳ４３０）に対して型を用いてプレス成形と折り曲げ成形等を実施することにより形成される。取り付け金具４３１は、胴差し２又はコーナー部材３の内側面を胴差し２又はコーナー部材３の表面側方向に押圧しつつ胴差し２又はコーナー部材３の内側面に設けられた少なくとも２箇所の凹部４９７と係合して胴差し２又はコーナー部材３を位置決め固定する弾性係合部４３２と、胴差し２又はコーナー部材３の内側面の凹部４９８と係合して位置決め固定する係合部４６２と、胴差し２又はコーナー部材３の内側面の凹部４９８と係合して位置決め固定する係合部４６２と、胴差し２又はコーナー部材３の内側面の凹部４９９の中に配置され、最終的にタッピンネジ１１０によりネジを切られながら胴差し２又はコーナー部材３を取り付け金具４３１に位置決め固定するネジ固定部４８１とを有する。
【００５９】
弾性係合部４３２は、胴差し２又はコーナー部材３に対向する一部にスリット４７１及び４７２により解放端を有し、直線的に形成されており、ステンレス鋼板から成形されるため、板ばね的に平面に垂直方向に弾性力を有している。また、弾性係合部４３２の分岐部は、複数の分岐部を有しており、本実施形態では第１分岐部４４１及び第２分岐部４５１に分かれている。
【００６０】
スリット４７１は、取り付け金具４３１の本体部と第１分岐部４４１との間に設けられ、スリット４７２は、取り付け金具４３１の本体部と第２分岐部４５１との間に設けられ、スリット４７３は、取り付け金具４３１の本体部と係合部４６２との間に設けられる。スリット４７１、スリット４７２は、胴差し２又はコーナー部材３の凹部４９７に対して各分岐部４４１／４５１が弾性による動作ができる長さ以上の寸法で形成される。
【００６１】
また、第１分岐部４４１は所定の基準値の長さで形成され、第２分岐部４５１は所定の基準値の長さよりも短く形成される。これにより第１分岐部４４１が胴差し２又はコーナー部材３の凹部４９７に係合できない場合でも、第２分岐部４５１を胴差し２又はコーナー部材３の凹部４９７に係合させることができる。第２分岐部４５１を第１分岐部４４１よりも短くする長さは、第１実施形態及び第２実施形態と同様にそれらの差Ｌ５＝２ｍｍ前後等の適切な範囲で設定する。
【００６２】
また、所定の基準値の長さも第１実施形態及び第２実施形態と同様に、例えば、仕様に規定された値又は設計値であり、セメント系押出成形体で形成された胴差し２又はコーナー部材３の乾燥後の凹部４９７と係合できるように設定された寸法である。さらに、第１分岐部４４１の先端部には、凹部４９７と係合する第１係合端部４４２が一体に形成され、第２分岐部４５１の先端部には、凹部４９７と係合する第２係合端部４５２が一体に形成される。
【００６３】
第１分岐部４４１と第１係合端部４４２は、例えば胴差し２又はコーナー部材３の凹部４９７に係合できるように鉤型に形成される。同様に第２分岐部４５１と第２係合端部４５２も、胴差し２又はコーナー部材３の凹部４９７に係合できるように鉤型に形成される。鉤型というのは、第１係合端部４４２又は第２係合端部４５２を単独で鉤型にすることも含むが、本実施形態では、係合部４６２と取り付け金具４３１における第１分岐部４４１と第１係合端部４４２の全体、又は第２分岐部４５１と第２係合端部４５２の全体で鉤型を構成している。この鉤型が凹部４９７に係合して胴差し２又はコーナー部材３が建造物の外壁面５上に固定される。
【００６４】
ネジ固定部４８１は、取り付け金具４３１の本体部に対しては直角よりも大きく、すなわちネジ固定部４８１と取り付け金具４３１との狭角が鋭角になるように折り曲げられる。これは、建造物の外壁面５とネジ固定部４８１とのなす角が直角よりも鈍角である方が、建造物の作業現場では工具を使うスペース等が確保しやすく、壁と平行の位置から固定具を打込むより、壁とのスペースがある方が作業効率を向上させることができるためである。また、ネジ固定部４８１は末端部４８３までの途中に折り曲げ部４８２を有している。これは、タッピンネジ１１０によりネジを切りながら、胴差し２又はコーナー部材３の構造体４１１をネジ固定部４８１に固定する場合に、ネジ固定部４８１の逃げを抑制して固定しやすくするためである。なお、鋭角に折り曲げたネジ固定部をさらに２回折り曲げて、ネジ固定部の先端部分をＶ字形状とし、末端部４８３ではなく、ネジ固定部４８１上面と構造体４１１の内側とを接触させるようにすることも可能である。
【００６５】
このように本実施形態の外装化粧材の固定構造によれば、完成品の寸法誤差が大きい窯業系の胴差し２又はコーナー部材３であっても、本実施態様の取り付け金具４３１を用いることで建造物の外壁面５上に確実に固定することができ、地震や係合手段の経年変化等により外れる可能性を減少させることができる。また、第１実施形態の変形例１、変形例２についても、本実施形態に同様に適用することができる。
【００６６】
又、上記した第１実施形態では、本発明の取り付け金具３１を軽量鉄骨住宅の玄関ポーチの角柱の構造柱９１に用いる場合について説明したが、本発明の技術的範囲は上記した実施の形態に記載された範囲には限定されるものではなく、例えば、木造住宅の任意箇所の角柱又は形状が円形の構造柱に対しても、取り付け金具３１の形状を変更することで適用することができる。また、上記した第２実施形態では、本発明の取り付け金具３３１をベランダの壁面３９１の上面３９２上に用いる場合について説明し、第３実施形態では、本発明の取り付け金具４３１を建造物の外壁面５上に用いる場合について説明したが、本発明の技術的範囲は上記した実施の形態に記載された範囲には限定されるものではなく、任意の建造物上の窯業系の外装化粧材を取り付け金具を用いて取り付ける場所に適用することができる。
【符号の説明】
【００６７】
１  化粧柱、
２  胴差し、
３  コーナー部材、
５  建造物の外壁面５、
１１  ２分割柱体、
１４、１５  側部、
３１、１３１、２３１  取り付け金具、
３２、１３２、２３２、３３２、４３２  弾性係合部、
４１、１４１、２４１、３４１、４４１  第１分岐部、
４２、１４２、２４２、３４２、４４２  第１係合端部、
５１、１５１、２５１、３５１、４５１  第２分岐部、
５２、１５２、２５２、３５２、４５２  第２係合端部、
６１  開口部、
６２  突起、
７１、７２、１７１、１７２、２８１、２８２、２８３、３７１、３７２、４７１、４７２  スリット、
８１  固定用ネジ穴、
９１  構造柱、
９５  空洞部、
９７、３９７、４９７、４９８、４９９  凹部、
９８、９９  凸部、
１００  固定用ネジ、
１１０  タッピンネジ、
１６１、２６１  第３分岐部、
２７１  第４分岐部、
３１１  笠木、
３９１  ベランダの壁面、
３９２  （ベランダ壁面の）上面、
４１１  胴差し２又はコーナー部材３の構造体、
４６２  係合部、
４８１  ネジ固定部、
４８２  折り曲げ部、
４８３  末端部、
Ｌ１、Ｌ４、Ｌ５  第１分岐部と第２分岐部との長さの差、
Ｌ２  第２分岐部と第３分岐部との長さの差、
Ｌ３  第３分岐部と第４分岐部との長さの差。
【図１】
0005698077.tif 000002
【図２】
0005698077.tif 000003
【図３】
0005698077.tif 000004
【図４】
0005698077.tif 000005
【図５】
0005698077.tif 000006
【図６】
0005698077.tif 000007
【図７】
0005698077.tif 000008